(57)【要約】      （修正有）【課題】最上面、最下面の引っかかりやほつれがなく、ボリューム感があるにもかかわらず軽量化が達成されており、柔軟で軽くて、吸水性、撥水性が良好で、保温機能があり、且つ、ファッション性に富み、最上面および最下面のガーゼ織物によってデザイン、ファッション性を付加することができるガーゼ織物を提供する。【解決手段】最上面ガーゼ織物１と最下面ガーゼ織物２の間に、２重以上の無撚糸ガーゼ織物３が接結糸で一体的に製織されていることを特徴とする多重ガーゼ織物。【選択図】図１
0003189066.tif 000002
【実用新案登録請求の範囲】
【請求項１】
最上面ガーゼ織物（１）と最下面ガーゼ織物（２）の間に、２重以上の無撚糸ガーゼ織物（３）が接結糸で一体的に製織されていることを特徴とする多重ガーゼ織物。
【請求項２】
無撚糸が中空糸である請求項１に記載の多重ガーゼ織物。
【請求項３】
無撚糸ガーゼ織物（３）が３乃至５重織物である請求項１または２に記載の多重ガーゼ織物。
【考案の詳細な説明】
【技術分野】
【０００１】
本考案は生活資材、殊に、タオルケット、バスタオル、おしぼり、ウエアー、ベビータオル等に好適なガーゼ織物に関する。
【背景技術】
【０００２】
従来、ガーゼ組織で織成された織物は、ガーゼタオルやガーゼハンカチ、ウエアー等の布製身の回り品に多用されている。
【０００３】
従来のガーゼ織物の例としては、例えば実用新案登録第３１６５５６８号公報の例がある。これは、平織りを基本とした３層構造ガーゼ織物であり、これの中層に嵩高糸が挿入されており、裏側層や中間層の色糸の影響をあまり受けず、表側や裏側の模様をそれぞれ独立して表し得るガーゼ織物である。
【０００４】
また、従来のガーゼ織物の例として、例えば実用新案登録第３１２４６２３号公報の例がある。これは、ガーゼの柔軟性にふくよかさを加えた３層構造ガーゼ織物で、表面に趣味を満足させるための織り柄を付けるとともに、ちりめん状の性質を与えて触感を良好とした織柄付ちりめん状３層ガーゼ織物である。
【０００５】
しかしながら、従来のタオル製品は、最上面層あるいは最下面層がパイルでできており、手の荒れや爪により引っかけやほつれが発生するという問題があった。また、多層構造ガーゼ製品は、重かったり、ボリュームが出ないといった問題があった。
【先行技術文献】
【特許文献】
【０００６】
【特許文献１】実用新案登録第３１６５５６８号公報
【特許文献２】実用新案登録第３１２４６２３号公報
【考案の概要】
【考案が解決しようとする課題】
【０００７】
本考案は、上記従来のタオル製品や多層構造ガーゼ製品の問題点を解決するものであり、最上面、最下面の引っかかりやほつれがなく、ボリューム感があるにもかかわらず軽量化が達成されており、柔軟で軽くて、吸水性、撥水性が良好で、保温機能があり、且つ、ファッション性に富み、最上面および最下面のガーゼ織物によってデザイン、ファッション性を付加することができるガーゼ織物を提供することを課題とする。
【課題を解決するための手段】
【０００８】
本考案は、最上面ガーゼ織物（１）と最下面ガーゼ織物（２）の間に、２重以上の無撚糸ガーゼ織物（３）が接結糸で一体的に製織されていることを特徴とする多重ガーゼ織物である。
【０００９】
無撚糸ガーゼ織物（３）を構成する無撚糸（５）が中空糸であることが望ましい。
【００１０】
中空糸は１０’以上の太番手とするのが望ましい。
【００１１】
無撚糸ガーゼ織物（３）が３乃至５重織物であることが望ましい。
【考案の効果】
【００１２】
本考案のガーゼ織物は、最上面、最下面の引っかかりやほつれがなく、ボリューム感があるにもかかわらず軽量化が達成されており、柔軟で軽くて、吸水性、撥水性が良好で、保温機能があり、且つ、ファッション性に富み、最上面および最下面のガーゼ織物によってデザイン、ファッション性を付加することができる。また、柔らかくて優しい肌触りは、一度使えば手放せない効果がある。特に、最上面および最下面のガーゼ織物の間に２重以上の無撚糸からなるガーゼ織物を介在し、接結糸で一体的に製織接結された多重ガーゼ織物であり、中間に存在する多重ガーゼ部分で、軽さと通気性を与え、空気を保有することが出来る。さらに、柔軟で軽くて、特に保温性と吸水、発汗性に優れる。洗濯後の水きり乾燥が速いのも特徴の一つである。尚、前記する効果は、何回使用しても衰えず持続が可能である。
【図面の簡単な説明】
【００１３】
【図１】本考案の実施例１で得られたガーゼ織物の概要見取り図である。
【図２】本考案の実施例１の織物組織図である。
【図３】本考案の実施例１の織物の織前から見た断面図を示す。
【考案を実施するための形態】
【００１４】
本考案のガーゼ織物は、最上面ガーゼ織物（１）と最下面ガーゼ織物（２）の間に、２重以上の無撚糸ガーゼ織物（３）が接結糸で一体的に製織されていることを特徴とする多重ガーゼ織物である。
【００１５】
最上面ガーゼ織物（１）と最下面ガーゼ織物（２）の間に介在させる無撚糸ガーゼ織物（３）は２重以上であれば何重でもよいが、重ね数が大きくなると、織物の手触りに影響がでてくるので、好ましくは２〜８重、より好ましくは３〜５重とするのが良い。
【００１６】
本考案で言う無撚糸（５）とは、例えば、天然繊維、好ましくは、綿繊維と水溶性ポリビニルアルコール繊維を用いて複合撚糸した後、水溶性ポリビニルアルコールを溶解除去することによって得られる無撚糸を言う。
【００１７】
本考案の中空糸は、複合撚糸の段階で水溶性ポリビニルアルコール繊維を芯に、綿繊維が鞘に配するように複合した後、水溶性ポリビニルアルコールを溶解除去することで、芯の水溶性ポリビニルアルコール繊維が取り除かれるので、中空糸構造が発現する。
【００１８】
特に、無撚糸ガーゼ織物（３）は、本考案で奏する効果、即ち、軽量でボリューム感を発現し、保温性に優れ、柔らかくて優しい肌触りと、吸水、発汗性を発現させるためには、中空糸または綿と水溶性ポリビニルアルコールとの複合撚糸の形態が特に好ましい。
【００１９】
本考案のガーゼ織物に用いるよこ糸および地たて糸は、綿、レーヨン、麻、ウール、絹、アクリル系繊維、ポリエステル繊維、ナイロン繊維、ポリエチレン繊維素材からなる糸が用いられる。これらの素材は、とくに限定されることなく、使用目的用途に応じて、適宜選択が可能である。
【００２０】
本考案のガーゼ織物は、タオル織機、特に、ドビー織機あるいはジャガード織機を用いて製織することができる。デザインによりジャガードで、最上面と最下面を入れ替えることにより、所望の柄を構成することも可能である。
【実施例】
【００２１】
（実施例１）
ドビー織機を用い、綜絖（ヘルドともいう）枠数１２枚を用いて図２に示す組織図に基づいて織成した。
【００２２】
図１は、実施例１で得られた５重ガーゼ織物を示すものであり、最上面ガーゼ織物（１）、最下面ガーゼ織物（２）、その間に、無撚糸ガーゼ織物（３）が３重に構成され、全体で５重のガーゼ織物になっている。
【００２３】
図２は、実施例１の織物組織図を示す。たての１〜１８の数字は、よこ糸ピック数を示す。よこの１〜１２の数字は綜絖枠数を示す。Ｐはパイル糸、Ｇはグランド糸を示す。Ａは上げる、Ｓは沈む、を示す。
【００２４】
図３は、同実施例１のタオル織物の織前から見た断面図を示す。
【産業上の利用可能性】
【００２５】
本考案のガーゼ織物は、最上面、最下面の引っかかりやほつれがなく、ボリューム感があるにもかかわらず軽量化が達成されており、柔軟で軽くて、吸水性、撥水性が良好で、保温機能があり、且つ、ファッション性に富み、柔らかくて優しい肌触りは、一度使えば手放せない効果がある。特に保温性と吸水、発汗性に優れる。洗濯後の水きり乾燥が速いのも特徴の一つである。尚、前記する効果は、何回使用しても衰えず持続が可能である。特に、タオルケット、バスタオル、おしぼり、ウエアー、ベビータオル等に好適なガーゼ織物が提供できる。
【符号の説明】
【００２６】
１：最上面ガーゼ織物
２：最下面ガーゼ織物
３：無撚糸ガーゼ織物
４：多重ガーゼ織物
５：無撚糸
【図２】
0003189066.tif 000003
【図１】
0003189066.tif 000004
【図３】
0003189066.tif 000005